(57)【要約】【課題】様々な種別の通信回線で接続された複数の拠点から効率よくデータを収集する。【解決手段】データ収集システム１００において、拠点データベース１１１は拠点２００ごとに通信回線３００の種別を示す情報を記憶し、機能データベース１１２は通信回線３００の種別ごとに圧縮率を指定する情報を記憶する。特定部１０１は、拠点データベース１１１、機能データベース１１２から、入力情報１２１で指定されたビル管理データを、入力情報１２１で指定された日時に、どのような圧縮率で圧縮して送信するのか等を特定する。送信部１０２は、入力情報１２１で指定された拠点２００のデータ送信装置２０１に対し、特定部１０１が特定した方法でビル管理データを送信するよう指示するデータ送信方法指示ファイル１２２を送信する。受信部１０３は、データ送信方法指示ファイル１２２に基づいて送信されるビル管理データを受信する。【選択図】図１
2012213035.tif 000002
【特許請求の範囲】
【請求項１】
複数の拠点の各々に設置されたデータ送信装置と個別の通信回線により接続され、拠点ごとにデータ送信装置から通信回線を介してデータを収集するデータ収集システムであって、
拠点ごとに通信回線の種別を示す回線種別情報と、通信回線の種別ごとにデータの圧縮率を指定する圧縮率情報とを記憶する記憶装置と、
前記複数の拠点のいずれかを指定する入力を受け付ける入力装置と、
前記記憶装置に記憶された回線種別情報から、前記入力装置により指定された拠点に対応する通信回線の種別を特定し、前記記憶装置に記憶された圧縮率情報から、特定した通信回線の種別に対応するデータの圧縮率を特定する特定部と、
前記特定部により特定された圧縮率でデータを圧縮して前記特定部により特定された種別の通信回線を介して送信するように指示する指示情報を処理装置により生成し、前記入力装置により指定された拠点に設置されたデータ送信装置に対し、生成した指示情報を送信する送信部と、
前記入力装置により指定された拠点に設置されたデータ送信装置から、前記送信部により送信された指示情報に基づいて送信されたデータを受信する受信部と
を備えることを特徴とするデータ収集システム。
【請求項２】
前記記憶装置は、前記圧縮率情報として、通信回線の種別と時間帯との組み合わせごとにデータの圧縮率を指定する情報を記憶し、
前記入力装置は、前記複数の拠点のいずれかを指定するとともに日時を指定する入力を受け付け、
前記特定部は、前記記憶装置に記憶された圧縮率情報から、特定した通信回線の種別と前記入力装置により指定された日時を含む時間帯とに対応するデータの圧縮率を特定することを特徴とする請求項１のデータ収集システム。
【請求項３】
前記データ収集システムは、前記複数の拠点の各々に設置されたデータ送信装置と２つ以上の個別の通信回線により接続され、
前記記憶装置は、前記回線種別情報として、拠点と時間帯との組み合わせごとに通信回線の種別を指定する情報を記憶し、
前記入力装置は、前記複数の拠点のいずれかを指定するとともに日時を指定する入力を受け付け、
前記特定部は、前記記憶装置に記憶された回線種別情報から、前記入力装置により指定された拠点と前記入力装置により指定された日時を含む時間帯とに対応する通信回線の種別を特定することを特徴とする請求項１のデータ収集システム。
【請求項４】
前記記憶装置は、前記圧縮率情報として、通信回線の種別ごとにデータの圧縮率とともにデータの圧縮方式を指定する情報であり、指定するデータの圧縮率が所定の比率未満であればデータの圧縮方式を可逆圧縮方式とし、指定するデータの圧縮率が所定の比率以上であればデータの圧縮方式を非可逆圧縮方式とする情報を記憶し、
前記特定部は、前記記憶装置に記憶された圧縮率情報から、特定した通信回線の種別に対応するデータの圧縮率とデータの圧縮方式とを特定し、
前記送信部は、前記指示情報として、前記特定部により特定された圧縮率と圧縮方式とでデータを圧縮して前記特定部により特定された種別の通信回線を介して送信するように指示する情報を生成することを特徴とする請求項１から３のいずれかのデータ収集システム。
【請求項５】
複数の拠点の各々に設置されたデータ送信装置と個別の通信回線により接続され、拠点ごとにデータ送信装置から通信回線を介してデータを収集するコンピュータであって、拠点ごとに通信回線の種別を示す回線種別情報と、通信回線の種別ごとにデータの圧縮率を指定する圧縮率情報とを記憶する記憶装置と、前記複数の拠点のいずれかを指定する入力を受け付ける入力装置とを備えるコンピュータを、
前記記憶装置に記憶された回線種別情報から、前記入力装置により指定された拠点に対応する通信回線の種別を特定し、前記記憶装置に記憶された圧縮率情報から、特定した通信回線の種別に対応するデータの圧縮率を特定する特定部と、
前記特定部により特定された圧縮率でデータを圧縮して前記特定部により特定された種別の通信回線を介して送信するように指示する指示情報を処理装置により生成し、前記入力装置により指定された拠点に設置されたデータ送信装置に対し、生成した指示情報を送信する送信部と、
前記入力装置により指定された拠点に設置されたデータ送信装置から、前記送信部により送信された指示情報に基づいて送信されたデータを受信する受信部
として機能させるためのプログラム。
【発明の詳細な説明】
【技術分野】
【０００１】
本発明は、データ収集システム及びプログラムに関するものである。本発明は、特に、ビル管理データ収集システムに関するものである。
【背景技術】
【０００２】
従来、ビルの消費電力量、ガス量、水道量等を記録したビル管理データを収集するシステムがある（例えば、特許文献１〜４参照）。また、監視カメラ画像を高圧縮率、低圧縮率の２つの圧縮モードで圧縮し、伝送量に限りのある通信回線を通して高圧縮画像を伝送してモニタできるようにしつつ、高品質の低圧縮画像を監視カメラ側に保存しておき、適宜検索再生ができるようにするシステムがある（例えば、特許文献５参照）。
【先行技術文献】
【特許文献】
【０００３】
【特許文献１】特開２０１０−３３１９６号公報
【特許文献２】特開２００３−１８６６７号公報
【特許文献３】特開２００２−１０９０１８号公報
【特許文献４】特開２００１−１６６６１号公報
【特許文献５】特開２０００−５９７５８号公報
【発明の概要】
【発明が解決しようとする課題】
【０００４】
複数のビルからビル管理データを収集する場合、ビル管理データを受信するために利用できる通信回線の種別がビルごとに異なることが多い。例えば、映像収集等、大量データの収集を定期的に実施したいとする。この場合、利用できる通信回線がアナログ回線であれば、通信に時間がかかるため、実施は困難である。通信回線がＰＨＳ（登録商標）（Ｐｅｒｓｏｎａｌ・Ｈａｎｄｙ−ｐｈｏｎｅ・Ｓｙｓｔｅｍ）回線であっても、回線が不安定なため、やはり実施は困難である。一方、通信回線がブロードバンド回線であれば、実施は容易である。
【０００５】
このように、ビルによっては、収集できないビル管理データがあるため、従来のシステムを利用する場合、利用者は、どのビルからどのようなデータを収集してよいか判断しなければならないという課題があった。なお、ビル管理データが大量データであれば、各ビルにてデータを圧縮してから送信させるということも考えられるが、ブロードバンド回線等の高速回線が利用できる場合には無用な処理を行うことになり、却って効率が悪くなる。
【０００６】
本発明は、例えば、様々な種別の通信回線で接続された複数の拠点から効率よくデータを収集することを目的とする。
【課題を解決するための手段】
【０００７】
本発明の一の態様に係るデータ収集システムは、
複数の拠点の各々に設置されたデータ送信装置と個別の通信回線により接続され、拠点ごとにデータ送信装置から通信回線を介してデータを収集するデータ収集システムであって、
拠点ごとに通信回線の種別を示す回線種別情報と、通信回線の種別ごとにデータの圧縮率を指定する圧縮率情報とを記憶する記憶装置と、
前記複数の拠点のいずれかを指定する入力を受け付ける入力装置と、
前記記憶装置に記憶された回線種別情報から、前記入力装置により指定された拠点に対応する通信回線の種別を特定し、前記記憶装置に記憶された圧縮率情報から、特定した通信回線の種別に対応するデータの圧縮率を特定する特定部と、
前記特定部により特定された圧縮率でデータを圧縮して前記特定部により特定された種別の通信回線を介して送信するように指示する指示情報を処理装置により生成し、前記入力装置により指定された拠点に設置されたデータ送信装置に対し、生成した指示情報を送信する送信部と、
前記入力装置により指定された拠点に設置されたデータ送信装置から、前記送信部により送信された指示情報に基づいて送信されたデータを受信する受信部とを備える。
【０００８】
前記記憶装置は、前記圧縮率情報として、通信回線の種別と時間帯との組み合わせごとにデータの圧縮率を指定する情報を記憶し、
前記入力装置は、前記複数の拠点のいずれかを指定するとともに日時を指定する入力を受け付け、
前記特定部は、前記記憶装置に記憶された圧縮率情報から、特定した通信回線の種別と前記入力装置により指定された日時を含む時間帯とに対応するデータの圧縮率を特定する。
【０００９】
前記データ収集システムは、前記複数の拠点の各々に設置されたデータ送信装置と２つ以上の個別の通信回線により接続され、
前記記憶装置は、前記回線種別情報として、拠点と時間帯との組み合わせごとに通信回線の種別を指定する情報を記憶し、
前記入力装置は、前記複数の拠点のいずれかを指定するとともに日時を指定する入力を受け付け、
前記特定部は、前記記憶装置に記憶された回線種別情報から、前記入力装置により指定された拠点と前記入力装置により指定された日時を含む時間帯とに対応する通信回線の種別を特定する。
【００１０】
前記記憶装置は、前記圧縮率情報として、通信回線の種別ごとにデータの圧縮率とともにデータの圧縮方式を指定する情報であり、指定するデータの圧縮率が所定の比率未満であればデータの圧縮方式を可逆圧縮方式とし、指定するデータの圧縮率が所定の比率以上であればデータの圧縮方式を非可逆圧縮方式とする情報を記憶し、
前記特定部は、前記記憶装置に記憶された圧縮率情報から、特定した通信回線の種別に対応するデータの圧縮率とデータの圧縮方式とを特定し、
前記送信部は、前記指示情報として、前記特定部により特定された圧縮率と圧縮方式とでデータを圧縮して前記特定部により特定された種別の通信回線を介して送信するように指示する情報を生成する。
【００１１】
本発明の一の態様に係るプログラムは、
複数の拠点の各々に設置されたデータ送信装置と個別の通信回線により接続され、拠点ごとにデータ送信装置から通信回線を介してデータを収集するコンピュータであって、拠点ごとに通信回線の種別を示す回線種別情報と、通信回線の種別ごとにデータの圧縮率を指定する圧縮率情報とを記憶する記憶装置と、前記複数の拠点のいずれかを指定する入力を受け付ける入力装置とを備えるコンピュータを、
前記記憶装置に記憶された回線種別情報から、前記入力装置により指定された拠点に対応する通信回線の種別を特定し、前記記憶装置に記憶された圧縮率情報から、特定した通信回線の種別に対応するデータの圧縮率を特定する特定部と、
前記特定部により特定された圧縮率でデータを圧縮して前記特定部により特定された種別の通信回線を介して送信するように指示する指示情報を処理装置により生成し、前記入力装置により指定された拠点に設置されたデータ送信装置に対し、生成した指示情報を送信する送信部と、
前記入力装置により指定された拠点に設置されたデータ送信装置から、前記送信部により送信された指示情報に基づいて送信されたデータを受信する受信部として機能させるためのプログラムである。
【発明の効果】
【００１２】
本発明の一の態様によれば、データ収集の対象となる拠点から、通信回線の種別に適した圧縮率で圧縮されたデータを受信できる。そのため、様々な種別の通信回線で接続された複数の拠点から効率よくデータを収集することが可能となる。
【図面の簡単な説明】
【００１３】
【図１】実施の形態１に係るデータ収集システムの構成を示すブロック図。
【図２】実施の形態１に係る拠点データベース、機能データベースの構成の一例を示す表。
【図３】実施の形態１に係る回線種別データベース、圧縮率データベースの構成の一例を示す表。
【図４】実施の形態１に係るデータ収集システムのハードウェア構成の一例を示す図。
【図５】実施の形態１に係るデータ収集システムの動作を示すフローチャート。
【発明を実施するための形態】
【００１４】
以下、本発明の実施の形態について、図を用いて説明する。
【００１５】
実施の形態１．
図１は、本実施の形態に係るデータ収集システム１００の構成を示すブロック図である。
【００１６】
図１において、データ収集システム１００は、複数の拠点２００の各々に設置されたデータ送信装置２０１と個別の通信回線３００により接続される。具体的には、データ収集システム１００は、Ａビルに設置されたデータ送信装置２０１とアナログ回線により接続される。データ収集システム１００は、Ｂマンションに設置されたデータ送信装置２０１とＰＨＳ（登録商標）回線により接続される。データ収集システム１００は、Ｃデパートに設置されたデータ送信装置２０１とブロードバンド回線（ＩＰｖ４（Ｉｎｔｅｒｎｅｔ・Ｐｒｏｔｏｃｏｌ・ｖｅｒｓｉｏｎ・４）を使用）及びアナログ回線により接続される。データ収集システム１００は、Ｄ大学に設置されたデータ送信装置２０１とＩＳＤＮ（Ｉｎｔｅｇｒａｔｅｄ・Ｓｅｒｖｉｃｅｓ・Ｄｉｇｉｔａｌ・Ｎｅｔｗｏｒｋ）回線により接続される。データ収集システム１００は、Ｅ病院に設置されたデータ送信装置２０１とブロードバンド回線（ＩＰｖ６（Ｉｎｔｅｒｎｅｔ・Ｐｒｏｔｏｃｏｌ・ｖｅｒｓｉｏｎ・６）を使用）により接続される。データ収集システム１００は、Ｆ銀行に設置されたデータ送信装置２０１とＡＤＳＬ（Ａｓｙｍｍｅｔｒｉｃ・Ｄｉｇｉｔａｌ・Ｓｕｂｓｃｒｉｂｅｒ・Ｌｉｎｅ）回線（ＩＰｖ４を使用）により接続される。Ａビル、Ｂマンション、Ｃデパート、Ｄ大学、Ｅ病院、Ｆ銀行は拠点２００の一例である。アナログ回線、ＰＨＳ（登録商標）回線、ブロードバンド回線は通信回線３００の種別の一例である。
【００１７】
データ収集システム１００は、拠点２００ごとにデータ送信装置２０１から通信回線３００を介してビル管理データを収集するシステムであり、特定部１０１、送信部１０２、受信部１０３を備える。また、データ収集システム１００は、処理装置１９１、記憶装置１９２、入力装置１９３、出力装置１９４等のハードウェアを備える。ハードウェアはデータ収集システム１００の各部によって利用される。例えば、処理装置１９１は、データ収集システム１００の各部でデータや情報の演算、加工、読み取り、書き込み等を行うために利用される。記憶装置１９２は、そのデータや情報を記憶するために利用される。また、入力装置１９３は、そのデータや情報を入力するために、出力装置１９４は、そのデータや情報を出力するために利用される。
【００１８】
記憶装置１９２には、拠点データベース１１１、機能データベース１１２、回線種別データベース１１３、圧縮率データベース１１４が実装される。
【００１９】
特定部１０１は、利用者から、ビル名（又はビル管理番号）、利用機能、日時等を指定する入力情報１２１を入力装置１９３により受け取る。ビル名は、拠点２００の名称である。ビル管理番号は、拠点２００を一意に識別する識別子（番号）である。利用機能は、ビル管理データの種類である。特定部１０１は、利用可否判断処理１３１を処理装置１９１により実行する。利用可否判断処理１３１は、拠点データベース１１１、機能データベース１１２に基づき、入力情報１２１で指定された拠点２００から、入力情報１２１で指定されたビル管理データを、入力情報１２１で指定された日時に取得できるかどうかを判断する処理である。特定部１０１は、利用可否判断処理１３１の実行結果（判断結果）を、利用者に対して出力装置１９４により通知（例えば、画面表示）する。
【００２０】
送信部１０２は、データ送信方法指示処理１３２を処理装置１９１により実行する。データ送信方法指示処理１３２は、データ送信方法指示ファイル１２２を生成して、入力情報１２１で指定された拠点２００のデータ送信装置２０１に送信する処理である。データ送信方法指示ファイル１２２は、入力情報１２１で指定された拠点２００のデータ送信装置２０１に対し、入力情報１２１で指定されたビル管理データを、入力情報１２１で指定された日時に、どのような方法で送信するか（どのような圧縮率・圧縮方式で圧縮して送信するのか、分割して送信するのか等）を指示するファイル（指示情報）である。
【００２１】
受信部１０３は、入力情報１２１で指定された拠点２００のデータ送信装置２０１からビル管理データを受信する。なお、ビル管理データの種類によって、受信部１０３を分けてもよい。例えば、ビル管理データとして映像データ（監視カメラ画像等）を受信する受信部１０３と、それ以外の種類のビル管理データを受信する受信部１０３とを分けることで、システムの効率化を図ることができる。
【００２２】
なお、本実施の形態において、ビル管理データはデータの一例であり、他の種類のデータであっても構わない。
【００２３】
図２は、拠点データベース１１１、機能データベース１１２の構成の一例を示す表である。
【００２４】
図２において、拠点データベース１１１は、拠点２００ごとに通信回線３００の種別を示す情報（回線種別情報）を記憶するデータベースである。具体的には、拠点データベース１１１は、ビル管理番号、ビル名称、接続回線種別、回線番号のカラムからなるテーブルを有する。ビル管理番号は、前述したように、拠点２００を一意に識別する識別子である。ビル名称は、ビル管理番号に対応する拠点２００の名称（前述したビル名）である。接続回線種別は、その拠点２００のデータ送信装置２０１とデータ収集システム１００（特に、送信部１０２及び受信部１０３）とを接続する通信回線３００の種別である。回線番号は、その通信回線３００が回線交換方式を用いたものであれば、データ収集システム１００の受信部１０３に割り当てられた番号（電話番号）であり、その通信回線３００がパケット交換方式を用いたものであれば、データ収集システム１００の受信部１０３に割り当てられたアドレス（ＩＰアドレス）である。
【００２５】
機能データベース１１２は、通信回線３００の種別ごとにビル管理データの圧縮率を指定する情報（圧縮率情報の一部）を記憶するデータベースである。なお、本実施の形態では、通信回線３００の種別が同じであっても、各拠点２００からデータ収集を行う機能（各拠点２００から収集するビル管理データの種類）によって圧縮率を異にする場合がある。そのため、機能データベース１１２は、機能ごとに、利用可能な通信回線３００の種別、通信回線３００を利用可能な時間帯、ビル管理データの圧縮率を指定する情報を記憶する。具体的には、機能データベース１１２は、機能ＩＤ（識別子）、利用機能、利用可能回線、利用可能時間帯、データ圧縮率のカラムからなるテーブルを有する。機能ＩＤは、機能を一意に識別する識別子である。利用機能は、機能ＩＤに対応する機能、即ち、各拠点２００から収集できるビル管理データの種類である。利用機能としては、例えば電力使用量、監視カメラ画像１〜３（監視カメラが３台あるとした場合の監視カメラごとの画像）、フロア内温度、入退室情報、水道使用量、エレベータ情報１〜３（エレベータが３機あるとした場合のエレベータごとの運行情報や機器情報）が指定される。ほかに、エスカレータ情報（エスカレータの運行情報や機器情報）等が指定されてもよい。各拠点２００において、電力使用量、フロア内温度、入退室情報、水道使用量のデータは、これらのデータを収集して記憶する監視盤装置から取得され、利用機能ごとに１ファイルにまとまっている。監視カメラ画像は、個別の監視カメラごとに１ファイルに記録されている。エレベータの運行情報や機器情報も、個別のエレベータごとに１ファイルに記録されている。利用可能回線は、機能ＩＤに対応する種類のビル管理データの送受信のために利用可能な通信回線３００の種別である。利用可能時間帯は、その通信回線３００を利用可能な時間帯である。データ圧縮率は、機能ＩＤに対応する種類のビル管理データの送信前、そのビル管理データを圧縮する際に、拠点２００のデータ送信装置２０１に適用させる圧縮率である。ビル管理データの圧縮率としては、例えば低圧縮率、中圧縮率、高圧縮率が指定される。ビル管理データの圧縮率は、このように段階的に指定されてもよいし、具体的に数値や数値範囲等で指定されてもよい。
【００２６】
図３は、回線種別データベース１１３、圧縮率データベース１１４の構成の一例を示す表である。
【００２７】
図３において、回線種別データベース１１３は、通信回線３００の種別ごとにビル管理データの分割要否を指定する情報（分割情報）を記憶するデータベースである。具体的には、回線種別データベース１１３は、回線種別ＩＤ、接続回線種別、分割要否のカラムからなるテーブルを有する。回線種別ＩＤは、通信回線３００の種別を一意に識別する識別子である。接続回線種別は、回線種別ＩＤに対応する通信回線３００の種別である。分割要否は、その通信回線３００を介してビル管理データを拠点２００のデータ送信装置２０１が送信する際に、そのビル管理データを分割する必要があるかどうかを示すフラグである。分割要否としては、ビル管理データを分割する必要があれば‘１’が指定され、分割する必要がなければ‘０’が指定される。ビル管理データを分割する必要がある場合には、データ送信装置２０１に対し、例えば１月分のビル管理データを１日分のデータに分割して送信させる。
【００２８】
圧縮率データベース１１４は、ビル管理データの圧縮率ごとに圧縮方式を指定する情報（圧縮率情報の一部）を記憶するデータベースである。具体的には、圧縮率データベース１１４は、圧縮率ＩＤ、データ圧縮率、圧縮方式のカラムからなるテーブルを有する。圧縮率ＩＤは、ビル管理データの圧縮率（の段階）を一意に識別する識別子である。データ圧縮率は、圧縮率ＩＤに対応する圧縮率である。圧縮方式は、その圧縮率を適用したビル管理データの圧縮時に、拠点２００のデータ送信装置２０１に利用させる圧縮方式である。本実施の形態では、圧縮率が所定の比率未満（中圧縮率）であれば圧縮方式を可逆圧縮方式とし、圧縮率が所定の比率以上（高圧縮率）であれば圧縮方式を非可逆圧縮方式としている。なお、圧縮率が低圧縮率であれば圧縮は不要としているが、圧縮方式として例えば可逆圧縮方式が指定されてもよい。可逆圧縮方式とは、ＺＩＰ等を用いることができる。非可逆圧縮方式としては、ＪＰＥＧ、ＭＰＥＧ等を用いることができる。圧縮方式は、ビル管理データの形式に合わせて適宜選択されるものとする。
【００２９】
図４は、データ収集システム１００のハードウェア構成の一例を示す図である。
【００３０】
図４において、データ収集システム１００は、コンピュータであり、ＬＣＤ９０１（Ｌｉｑｕｉｄ・Ｃｒｙｓｔａｌ・Ｄｉｓｐｌａｙ）、キーボード９０２（Ｋ／Ｂ）、マウス９０３、ＦＤＤ９０４（Ｆｌｅｘｉｂｌｅ・Ｄｉｓｋ・Ｄｒｉｖｅ）、ＣＤＤ９０５（Ｃｏｍｐａｃｔ・Ｄｉｓｃ・Ｄｒｉｖｅ）、プリンタ９０６といったハードウェアデバイスを備えている。これらのハードウェアデバイスはケーブルや信号線で接続されている。ＬＣＤ９０１の代わりに、ＣＲＴ（Ｃａｔｈｏｄｅ・Ｒａｙ・Ｔｕｂｅ）、あるいは、その他の表示装置が用いられてもよい。マウス９０３の代わりに、タッチパネル、タッチパッド、トラックボール、ペンタブレット、あるいは、その他のポインティングデバイスが用いられてもよい。
【００３１】
データ収集システム１００は、プログラムを実行するＣＰＵ９１１（Ｃｅｎｔｒａｌ・Ｐｒｏｃｅｓｓｉｎｇ・Ｕｎｉｔ）を備えている。ＣＰＵ９１１は、処理装置１９１の一例である。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信ボード９１５、ＬＣＤ９０１、キーボード９０２、マウス９０３、ＦＤＤ９０４、ＣＤＤ９０５、プリンタ９０６、ＨＤＤ９２０（Ｈａｒｄ・Ｄｉｓｋ・Ｄｒｉｖｅ）と接続され、これらのハードウェアデバイスを制御する。ＨＤＤ９２０の代わりに、フラッシュメモリ、光ディスク装置、メモリカードリーダライタ、あるいは、その他の記録媒体が用いられてもよい。
【００３２】
ＲＡＭ９１４は、揮発性メモリの一例である。ＲＯＭ９１３、ＦＤＤ９０４、ＣＤＤ９０５、ＨＤＤ９２０は、不揮発性メモリの一例である。これらは、記憶装置１９２の一例である。通信ボード９１５、キーボード９０２、マウス９０３、ＦＤＤ９０４、ＣＤＤ９０５は、入力装置１９３の一例である。また、通信ボード９１５、ＬＣＤ９０１、プリンタ９０６は、出力装置１９４の一例である。
【００３３】
通信ボード９１５は、ＬＡＮ（Ｌｏｃａｌ・Ａｒｅａ・Ｎｅｔｗｏｒｋ）等に接続されている。通信ボード９１５は、ＬＡＮに限らず、ＩＰ−ＶＰＮ（Ｉｎｔｅｒｎｅｔ・Ｐｒｏｔｏｃｏｌ・Ｖｉｒｔｕａｌ・Ｐｒｉｖａｔｅ・Ｎｅｔｗｏｒｋ）、広域ＬＡＮ、ＡＴＭ（Ａｓｙｎｃｈｒｏｎｏｕｓ・Ｔｒａｎｓｆｅｒ・Ｍｏｄｅ）ネットワークといったＷＡＮ（Ｗｉｄｅ・Ａｒｅａ・Ｎｅｔｗｏｒｋ）、あるいは、インターネットに接続されていても構わない。ＬＡＮ、ＷＡＮ、インターネットは、ネットワークの一例である。
【００３４】
ＨＤＤ９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。プログラム群９２３には、本実施の形態の説明において「〜部」として説明する機能を実行するプログラムが含まれている。プログラムは、ＣＰＵ９１１により読み出され実行される。ファイル群９２４には、本実施の形態の説明において、「〜データ」、「〜情報」、「〜ＩＤ（識別子）」、「〜フラグ」、「〜結果」として説明するデータや情報や信号値や変数値やパラメータが、「〜ファイル」や「〜データベース」や「〜テーブル」の各項目として含まれている。「〜ファイル」や「〜データベース」や「〜テーブル」は、ＲＡＭ９１４やＨＤＤ９２０等の記録媒体に記憶される。ＲＡＭ９１４やＨＤＤ９２０等の記録媒体に記憶されたデータや情報や信号値や変数値やパラメータは、読み書き回路を介してＣＰＵ９１１によりメインメモリやキャッシュメモリに読み出され、抽出、検索、参照、比較、演算、計算、制御、出力、印刷、表示といったＣＰＵ９１１の処理（動作）に用いられる。抽出、検索、参照、比較、演算、計算、制御、出力、印刷、表示といったＣＰＵ９１１の処理中、データや情報や信号値や変数値やパラメータは、メインメモリやキャッシュメモリやバッファメモリに一時的に記憶される。
【００３５】
本実施の形態の説明において用いるブロック図やフローチャートの矢印の部分は主としてデータや信号の入出力を示す。データや信号は、ＲＡＭ９１４等のメモリ、ＦＤＤ９０４のフレキシブルディスク（ＦＤ）、ＣＤＤ９０５のコンパクトディスク（ＣＤ）、ＨＤＤ９２０の磁気ディスク、光ディスク、ＤＶＤ（Ｄｉｇｉｔａｌ・Ｖｅｒｓａｔｉｌｅ・Ｄｉｓｃ）、あるいは、その他の記録媒体に記録される。また、データや信号は、バス９１２、信号線、ケーブル、あるいは、その他の伝送媒体により伝送される。
【００３６】
本実施の形態の説明において「〜部」として説明するものは、「〜回路」、「〜装置」、「〜機器」であってもよく、また、「〜ステップ」、「〜工程」、「〜手順」、「〜処理」であってもよい。即ち、「〜部」として説明するものは、ＲＯＭ９１３に記憶されたファームウェアで実現されていても構わない。あるいは、「〜部」として説明するものは、ソフトウェアのみ、あるいは、素子、デバイス、基板、配線といったハードウェアのみで実現されていても構わない。あるいは、「〜部」として説明するものは、ソフトウェアとハードウェアとの組み合わせ、あるいは、ソフトウェアとハードウェアとファームウェアとの組み合わせで実現されていても構わない。ファームウェアとソフトウェアは、プログラムとして、フレキシブルディスク、コンパクトディスク、磁気ディスク、光ディスク、ＤＶＤ等の記録媒体に記憶される。プログラムはＣＰＵ９１１により読み出され、ＣＰＵ９１１により実行される。即ち、プログラムは、本実施の形態の説明で述べる「〜部」としてコンピュータを機能させるものである。あるいは、プログラムは、本実施の形態の説明で述べる「〜部」の手順や方法をコンピュータに実行させるものである。
【００３７】
図５は、データ収集システム１００の動作（本実施の形態に係るデータ収集方法、本実施の形態に係るプログラムの処理手順）を示すフローチャートである。
【００３８】
ステップＳ１０１において、特定部１０１は、複数の拠点２００のいずれかを指定するとともにビル管理データの種類（利用機能）及び日時を指定する入力を利用者から入力装置１９３により受け付ける。
【００３９】
ここでは、例えば、特定部１０１が、拠点２００として「Ｅ病院」、利用機能として「監視カメラ画像１」、日時として「２０１１年３月１日２２時００分００秒」を指定する入力情報１２１を受け取ったとする。
【００４０】
ステップＳ１０２において、特定部１０１は、利用可否判断処理１３１を処理装置１９１により実行する。具体的には、特定部１０１は、拠点データベース１１１（記憶装置１９２に記憶された回線種別情報）から、入力装置１９３により指定された拠点２００に対応する通信回線３００の種別（図２の接続回線種別、回線番号）を特定する。特定部１０１は、機能データベース１１２から、入力装置１９３により指定されたビル管理データの種類に対して利用可能な通信回線３００の種別（図２の利用可能回線）と利用可能な時間帯（図２の利用可能時間帯）を特定する。そして、特定部１０１は、拠点データベース１１１から特定した通信回線３００の種別が、入力装置１９３により指定された日時に利用可能かを判断する。特定部１０１は、利用不可と判断した場合、その旨を利用者に対して出力装置１９４により通知して処理を終了する。特定部１０１は、利用可能と判断した場合、その旨を利用者に対して出力装置１９４により通知してステップＳ１０３に進む。
【００４１】
ここでは、特定部１０１は、拠点データベース１１１から、「Ｅ病院」に対応する接続回線種別として「ブロードバンド（ＩＰｖ６）」、回線番号として「２００１：１１１１：２２２２：３３３３：４４４４：５５５５：：０００１」を特定する。特定部１０１は、機能データベース１１２から、「監視カメラ画像１」に対応する利用可能回線として「ブロードバンドのみ」、利用可能時間帯として「夜間のみ」を特定する。よって、特定部１０１は、「ブロードバンド（ＩＰｖ６）」が「２０１１年３月１日２２時００分００秒」に利用可能であると判断する。
【００４２】
ステップＳ１０３において、特定部１０１は、機能データベース１１２（記憶装置１９２に記憶された圧縮率情報）から、拠点データベース１１１から特定した通信回線３００の種別に対応するビル管理データの圧縮率（図２のデータ圧縮率）を特定する。また、特定部１０１は、圧縮率データベース１１４（記憶装置１９２に記憶された圧縮率情報）から、拠点データベース１１１から特定した通信回線３００の種別に対応するビル管理データの圧縮方式（図３の圧縮方式）を特定する。さらに、特定部１０１は、回線種別データベース１１３（記憶装置１９２に記憶された分割情報）から、拠点データベース１１１から特定した通信回線３００の種別に対応するビル管理データの分割要否（図３の分割要否）を特定する。
【００４３】
ここでは、特定部１０１は、機能データベース１１２から、「監視カメラ画像１」に対応するデータ圧縮率として「高」を特定し、圧縮率データベース１１４から、「高」に対応する圧縮方式として「非可逆圧縮方式」を特定する。さらに、特定部１０１は、回線種別データベース１１３から、「ブロードバンド（ＩＰｖ６）」に対応する分割要否として「不要」を特定する。
【００４４】
ステップＳ１０４において、送信部１０２は、データ送信方法指示処理１３２を処理装置１９１により実行する。具体的には、送信部１０２は、特定部１０１により特定された圧縮率と圧縮方式とでビル管理データを圧縮して特定部１０１により特定された種別の通信回線３００を介して送信するように指示するデータ送信方法指示ファイル１２２を生成する。このとき、特定部１０１によりビル管理データの分割が必要であることが特定されていた場合には、その旨もデータ送信方法指示ファイル１２２で指示される。データ送信方法指示ファイル１２２は、例えば、ＸＭＬ（ｅＸｔｅｎｓｉｂｌｅ・Ｍａｒｋｕｐ・Ｌａｎｇｕａｇｅ）ファイルでもよいし、固定長でフォーマットが決められたファイルでもよい。固定長でフォーマットが決められたファイルであれば、送信データ量を小さくすることができる。送信部１０２は、データ送信方法指示ファイル１２２を生成後、入力装置１９３により指定された拠点２００に設置されたデータ送信装置２０１に対し、そのデータ送信方法指示ファイル１２２を送信する。
【００４５】
ここでは、送信部１０２は、「Ｅ病院」のデータ送信装置２０１に対し、「監視カメラ画像１」のビル管理データを、「非可逆圧縮方式」を用いて「高」圧縮率で圧縮して、「２０１１年３月１日２２時００分００秒」に「ブロードバンド（ＩＰｖ６）」の通信回線３００を介して送信するように指示するデータ送信方法指示ファイル１２２を生成する。データ送信方法指示ファイル１２２は、固定長でフォーマットが決められたファイルであれば、例えば、回線種別ＩＤ（１バイト）として「１」、利用機能ＩＤ（３バイト）として「ＣＡ１」、圧縮率ＩＤ（１バイト）として「Ｈ」、分割要否（１バイト）として「０」、回線番号（４０バイト）として「２００１：１１１１：２２２２：３３３３：４４４４：５５５５：：０００１」、スケジュール（送信開始日時）（１４バイトでｙｙｙｙｍｍｄｄｈｈｍｍｓｓの形式）として「２０１１０３０１２２００００」を格納したファイルとなる。送信部１０２は、このデータ送信方法指示ファイル１２２を「Ｅ病院」のデータ送信装置２０１に送信する。
【００４６】
ステップＳ１０５において、受信部１０３は、入力装置１９３により指定された拠点２００に設置されたデータ送信装置２０１から、送信部１０２により送信されたデータ送信方法指示ファイル１２２に基づいて送信されたビル管理データを受信する。
【００４７】
ここでは、受信部１０３は、「Ｅ病院」のデータ送信装置２０１から、「非可逆圧縮方式」を用いて「高」圧縮率で圧縮された「監視カメラ画像１」のビル管理データを、「２０１１年３月１日２２時００分００秒」に「ブロードバンド（ＩＰｖ６）」の通信回線３００を介して受信する。
【００４８】
ステップＳ１０６において、受信部１０３は、入力装置１９３により指定された拠点２００に設置されたデータ送信装置２０１から受信したビル管理データを利用者に対して出力装置１９４により出力する。
【００４９】
ここでは、受信部１０３は、「Ｅ病院」のデータ送信装置２０１から受信した「監視カメラ画像１」のビル管理データを出力装置１９４により画面上で再生する。
【００５０】
上記のように、本実施の形態によれば、様々な種別の通信回線３００で接続された複数の拠点２００から効率よくデータを収集することが可能となる。
【００５１】
なお、ステップＳ１０１では、利用機能として「監視カメラ画像全部」が指定されてもよい。この場合、前述した「監視カメラ画像１」についてのステップＳ１０２〜Ｓ１０６の処理が、予め設定された時間間隔で「監視カメラ画像２」、「監視カメラ画像３」についても実行される。これにより、１回の入力で「監視カメラ画像１〜３」全てのビル管理データを収集できる。同様に、ステップＳ１０１では、利用機能として「エレベータ情報全部」が指定されてもよく、この場合、１回の入力で「エレベータ情報１〜３」全てのビル管理データを収集できる。
【００５２】
また、ステップＳ１０４において、送信部１０２は、データ送信方法指示ファイル１２２を送信後、その内容を記憶装置１９２に記憶しておいてもよい。この場合、送信部１０２は、データ送信方法指示ファイル１２２の送信先（拠点２００）から、そのデータ送信方法指示ファイル１２２で指定した日時（又は、予め定められた範囲で、その日時に近い時刻）に、そのデータ送信方法指示ファイル１２２で指定したビル管理データを受信すれば、記憶装置１９２に記憶した内容を削除するか、又は、受信した旨を示すデータを記憶装置１９２に記憶する。一方、送信部１０２は、データ送信方法指示ファイル１２２で指定した日時（又は、予め定められた範囲で、その日時に近い時刻）を過ぎても、そのデータ送信方法指示ファイル１２２で指定したビル管理データを受信していなければ、その旨を出力装置１９４により画面表示した上で、新たな日時を指定してデータ送信方法指示ファイル１２２を作り直す。例えば、通信回線３００の接続状態によっては、各拠点２００から、指定された日時にビル管理データを送信できない場合がある。また、各拠点２００に、エレベータが地震等で停止した場合に緊急発報を行う機能が備わっており、さらに、緊急発報に関する通信が通常のデータ送信よりも優先される機能が備わっていたとしたとき、各拠点２００から、指定された日時に緊急発報を行わなければならなくなり、ビル管理データを送信できない場合がある。このような場合に、送信部１０２が作り直したデータ送信方法指示ファイル１２２を拠点２００に送信することで、より確実にデータを収集することが可能となる。
【００５３】
実施の形態２．
本実施の形態について、主に実施の形態１との差異を説明する。
【００５４】
本実施の形態において、機能データベース１１２は、通信回線３００の種別と時間帯との組み合わせごとにビル管理データの圧縮率を指定する情報（圧縮率情報の一部）を記憶する。具体的には、図２の例において、機能データベース１１２は、機能によっては、１つの機能に対して利用可能回線、利用可能時間帯、データ圧縮率の組み合わせを２つ以上記憶する。
【００５５】
図５を用いて、本実施の形態に係るデータ収集システム１００の動作（本実施の形態に係るデータ収集方法、本実施の形態に係るプログラムの処理手順）について説明する。
【００５６】
ステップＳ１０１及びＳ１０２については、実施の形態１と同様である。
【００５７】
ステップＳ１０３において、特定部１０１は、機能データベース１１２から、拠点データベース１１１から特定した通信回線３００の種別と入力装置１９３により指定された日時を含む時間帯とに対応するビル管理データの圧縮率（図２のデータ圧縮率）を特定する。また、特定部１０１は、実施の形態１と同様に、ビル管理データの圧縮方式（図３の圧縮方式）、ビル管理データの分割要否（図３の分割要否）を特定する。
【００５８】
ステップＳ１０４〜Ｓ１０６については、実施の形態１と同様である。
【００５９】
ここで、機能データベース１１２が、「監視カメラ画像１」に対し、利用可能回線として「ブロードバンドのみ」、利用可能時間帯として「８〜２１時」、データ圧縮率として「高・低ビットレート」を指定する組み合わせと、利用可能回線として「ブロードバンドのみ」、利用可能時間帯として「２２〜翌日７時」、データ圧縮率として「高・高ビットレート」を指定する組み合わせとを記憶しているとする。また、ステップＳ１０１において、特定部１０１が、拠点２００として「Ｅ病院」、利用機能として「監視カメラ画像１」、日時として「２０１１年３月１日２２時００分００秒」を指定する入力情報１２１を受け取ったとする。
【００６０】
この場合、実施の形態１と同様に、ステップＳ１０２において、特定部１０１は、拠点データベース１１１から、「Ｅ病院」に対応する接続回線種別として「ブロードバンド（ＩＰｖ６）」、回線番号として「２００１：１１１１：２２２２：３３３３：４４４４：５５５５：：０００１」を特定する。特定部１０１は、機能データベース１１２から、「監視カメラ画像１」に対応する利用可能回線として「ブロードバンドのみ」、利用可能時間帯として「夜間のみ」を特定する。よって、特定部１０１は、「ブロードバンド（ＩＰｖ６）」が「２０１１年３月１日２２時００分００秒」に利用可能であると判断する。
【００６１】
ステップＳ１０３において、特定部１０１は、機能データベース１１２から、「監視カメラ画像１」及び「２０１１年３月１日２２時００分００秒」の組み合わせに対応するデータ圧縮率として「高・高ビットレート」を特定し、圧縮率データベース１１４から、「高」に対応する圧縮方式として「非可逆圧縮方式」を特定する。さらに、特定部１０１は、回線種別データベース１１３から、「ブロードバンド（ＩＰｖ６）」に対応する分割要否として「不要」を特定する。
【００６２】
ステップＳ１０４において、送信部１０２は、「Ｅ病院」のデータ送信装置２０１に対し、「監視カメラ画像１」のビル管理データを、「非可逆圧縮方式」を用いて「高ビットレート」で符号化して、「２０１１年３月１日２２時００分００秒」に「ブロードバンド（ＩＰｖ６）」の通信回線３００を介して送信するように指示するデータ送信方法指示ファイル１２２を生成する。送信部１０２は、このデータ送信方法指示ファイル１２２を「Ｅ病院」のデータ送信装置２０１に送信する。
【００６３】
ステップＳ１０５において、受信部１０３は、「Ｅ病院」のデータ送信装置２０１から、「非可逆圧縮方式」を用いて「高ビットレート」で符号化された「監視カメラ画像１」のビル管理データを、「２０１１年３月１日２２時００分００秒」に「ブロードバンド（ＩＰｖ６）」の通信回線３００を介して受信する。
【００６４】
実施の形態１と同様に、ステップＳ１０６において、受信部１０３は、「Ｅ病院」のデータ送信装置２０１から受信した「監視カメラ画像１」のビル管理データを出力装置１９４により画面上で再生する。
【００６５】
上記のように、本実施の形態によれば、時間帯による通信回線３００の通信料金や通信量制限や混雑度等の違いを考慮した最適な圧縮率を選択することが可能となる。
【００６６】
実施の形態３．
本実施の形態について、主に実施の形態１との差異を説明する。
【００６７】
図１に示した例において、データ収集システム１００は、Ｃデパートに設置されたデータ送信装置２０１とブロードバンド回線及びアナログ回線、即ち、２つの個別の通信回線３００により接続される。データ収集システム１００は、他の拠点２００に設置されたデータ送信装置２０１とも２つ以上の個別の通信回線３００により接続されてもよい。例えば、データ収集システム１００は、Ｅ病院に設置されたデータ送信装置２０１とＡ社（通信キャリア）のブロードバンド回線とＢ社（通信キャリア）のブロードバンド回線とにより接続されてもよい。
【００６８】
本実施の形態において、拠点データベース１１１は、拠点２００と時間帯との組み合わせごとに通信回線３００の種別を指定する情報（回線種別情報）を記憶する。具体的には、図２の例において、拠点データベース１１１は、ビル管理番号、ビル名称、接続回線種別、回線番号のカラムのほか、時間帯のカラムをもつテーブルを有する。ビル管理番号、ビル名称、回線番号については、実施の形態１と同様である。接続回線種別は、ビル管理番号に対応する拠点２００のデータ送信装置２０１とデータ収集システム１００とを接続する通信回線３００の種別のうち、指定された時間帯に利用すべき通信回線３００の種別である。
【００６９】
図５を用いて、本実施の形態に係るデータ収集システム１００の動作（本実施の形態に係るデータ収集方法、本実施の形態に係るプログラムの処理手順）について説明する。
【００７０】
ステップＳ１０１については、実施の形態１と同様である。
【００７１】
ステップＳ１０２において、特定部１０１は、拠点データベース１１１から、入力装置１９３により指定された拠点２００と日時を含む時間帯とに対応する通信回線３００の種別（図２の接続回線種別、回線番号）を特定する。特定部１０１は、実施の形態１と同様に、機能データベース１１２から、入力装置１９３により指定されたビル管理データの種類に対して利用可能な通信回線３００の種別（図２の利用可能回線）と利用可能な時間帯（図２の利用可能時間帯）を特定する。そして、特定部１０１は、拠点データベース１１１から特定した通信回線３００の種別が、入力装置１９３により指定された日時に利用可能かを判断する。
【００７２】
ステップＳ１０３〜Ｓ１０６については、実施の形態１と同様である。
【００７３】
上記のように、本実施の形態によれば、時間帯による通信回線３００の通信料金や通信量制限や混雑度等の違いを考慮した最適な通信回線３００を選択することが可能となる。
【００７４】
なお、拠点データベース１１１で、時間帯の代わりに、優先度を指定してもよい。この場合、ステップＳ１０２において、特定部１０１は、拠点データベース１１１から、入力装置１９３により指定された拠点２００に対応する通信回線３００の種別のうち、現在利用可能であって、かつ、優先度が最も高いものを特定する。
【００７５】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００７６】
１００  データ収集システム、１０１  特定部、１０２  送信部、１０３  受信部、１１１  拠点データベース、１１２  機能データベース、１１３  回線種別データベース、１１４  圧縮率データベース、１２１  入力情報、１２２  データ送信方法指示ファイル、１３１  利用可否判断処理、１３２  データ送信方法指示処理、１９１  処理装置、１９２  記憶装置、１９３  入力装置、１９４  出力装置、２００  拠点、２０１  データ送信装置、３００  通信回線、９０１  ＬＣＤ、９０２  キーボード、９０３  マウス、９０４  ＦＤＤ、９０５  ＣＤＤ、９０６  プリンタ、９１１  ＣＰＵ、９１２  バス、９１３  ＲＯＭ、９１４  ＲＡＭ、９１５  通信ボード、９２０  ＨＤＤ、９２１  オペレーティングシステム、９２２  ウィンドウシステム、９２３  プログラム群、９２４  ファイル群。
【図１】
2012213035.tif 000003
【図２】
2012213035.tif 000004
【図３】
2012213035.tif 000005
【図４】
2012213035.tif 000006
【図５】
2012213035.tif 000007